(57)【要約】【課題】展開状態でも梱包しやすく、且つ展開状態で運送される時に損傷または破損されにくい包装箱の提供。【解決手段】側壁部材２と底壁部材１とを有する包装箱であって、側壁部材２と底壁部材１とは、箱状の使用状態と、板状の収納状態との間で姿勢変化可能に構成され、側壁部材２は、両端開口で２対の対角を有する略中空四角柱に折り畳まれることができるように構成された一対の第１の側壁ユニットを有し、底壁部材１は、使用状態で略皿状になるよう構成されており、使用状態において、第１の側壁ユニットは、略中空四角柱に折り畳まれ、底壁部材１は、第１の側壁ユニットの開口を覆うように折り畳まれ、使用状態から収納状態に切り替えられる際、底壁部材１が平面に展開され、第１の側壁ユニットは、２対の対角における１対の対角が略１８０°に展開され、他の１対の対角が略０°に折り畳まれるように折り重なるようになることを特徴とする包装箱。【選択図】図８
2016113212.tif 000002
【特許請求の範囲】
【請求項１】
側壁部材と、前記側壁部材と共に箱に構成することができる底壁部材と、を有する包装箱であって、
前記側壁部材と底壁部材とは、共に所定の収容空間を画成する箱状の使用状態と、共に板状になる収納状態との間で姿勢変化可能に構成されており、
前記側壁部材は、それぞれがその長手方向に沿って順番に配置される接続部と、第１の側壁部と、第１の上壁部と、第２の側壁部と、を有するように延伸する一枚の板紙に展開されることができるように形成されている上、前記接続部と前記第１の側壁部とが略直交し、前記第１の側壁部と前記第１の上壁部とが略直交し、且つ前記第１の上壁部と前記第２の側壁部とが略直交するように両端開口で２対の対角を有する略中空四角柱に折り畳まれることができるように構成された一対の第１の側壁ユニットを有しており、
前記底壁部材は、その長手方向に沿って順番に配置される第1の接続壁部と、底部と、第２の接続壁部と、を有するように延伸する一枚の板紙に展開されることができるように形成されている上、前記第1の接続壁部と前記底部とが略直交し、且つ前記底部と前記第２の接続壁部とが略直交するように折り畳まれることができるように構成されており、
前記使用状態において、前記側壁部材が有する前記一対の第１の側壁ユニットは、それぞれ前記略中空四角柱に折り畳まれる上、それぞれが有する前記第２の側壁部が前記底壁部材の長手方向を挟んで互いに向かい合うようにそれぞれ前記接続部で前記底壁部材が有する前記底部に当接し、前記底壁部材は、前記第1の接続壁部と前記第２の接続壁部とで、前記略中空四角柱に折り畳まれた前記一対の第１の側壁ユニットがそれぞれ有する開口を覆うことができるように、前記第1の接続壁部と前記底部とが略直交し、且つ前記底部と前記第２の接続壁部とが略直交するように折り畳まれるようになり、
前記使用状態から前記収納状態に切り替えられる際には、前記底壁部材が有する前記第１の接続壁部と、前記底部と、前記第２の接続壁部とが同一の平面に展開され、前記略中空四角柱に折り畳まれた各前記第１の側壁ユニットは、前記略中空四角柱が有する２対の対角における１対の対角が略１８０°に展開され、他の１対の対角が略０°に折り畳まれて前記接続部と前記第２の側壁部とが互いに平行するように折り重なるようになることを特徴とする包装箱。
【請求項２】
前記側壁部材は、更に両端がそれぞれ前記一対の第１の側壁ユニットがそれぞれ有する前記接続部の前記第１の側壁部に臨む端部の反対側にある端部と連続している連接板を有していることを特徴とする請求項１に記載の包装箱。
【請求項３】
前記一対の第１の側壁ユニットは、それぞれ
前記接続部と、前記第１の側壁部との間に介在する第１の繋ぎ部と、
前記第１の上壁部と、前記第２の側壁部との間に介在し、前記第１の繋ぎ部と前記使用状態において互いに対角する位置にある第２の繋ぎ部と、を更に有する上、前記接続部と前記第１の繋ぎ部との間にある第１の折目線と、前記第１の繋ぎ部と前記第１の側壁部との間にある第２の折目線と、前記第１の側壁部と前記第１の上壁部との間にある第３の折目線と、前記第１の上壁部と前記第２の繋ぎ部との間にある第４の折目線と、前記第２の繋ぎ部と前記第２の側壁部との間にある第５の折目線とが形成されており、
この構成により、
前記使用状態において、前記一対の第１の側壁ユニットは、それぞれ前記接続部と前記第１の繋ぎ部とが前記第１の折目線を介して略直交し、前記第１の側壁部と前記第１の上壁部とが前記第３の折目線とを介して略直交し、前記第１の上壁部と前記第２の繋ぎ部とが前記第４の折目線とを介して略直交するように前記略中空四角柱に折り畳まれ、
前記使用状態から前記収納状態に切り替えられる際には、前記一対の第１の側壁ユニットは、それぞれ前記接続部と前記第１の繋ぎ部とが前記第１の折目線を介して略直交し、且つ前記第１の繋ぎ部と前記第１の側壁部とが前記第２の折目線を介して略直交することにより、前記接続部と前記第１の側壁部との成す角度が前記第１の繋ぎ部を介して略０°になるよう折り畳まれ、前記第１の上壁部と前記第２の繋ぎ部とが前記第４の折目線を介して略直交し、且つ前記第２の繋ぎ部と前記第２の側壁部とが前記第５の折目線を介して略直交することにより、前記第１の上壁部と前記第２の側壁部との成す角度が前記第２の繋ぎ部を介して略０°になるよう折り畳まれ、更に、前記第１の側壁部と前記第１の上壁部との成す角度は、第３の折目線が展開されることにより略１８０°になると共に、前記接続部と前記第１の側壁部と前記第２の側壁部とが互いに平行するように折り重なるようになっていることを特徴とする請求項１または請求項２に記載の包装箱。
【請求項４】
前記側壁部材は、一対の第２の側壁ユニットを更に有しており、
前記一対の第２の側壁ユニットは、それぞれ前記連接板における前記一対の第１の側壁ユニットそれぞれの前記接続部と接せず且つ互いに平行する２つの端縁から、前記側壁部材の長手方向と直交する幅方向に沿って順番に配置される第３の側壁部と、第２の上壁部と、第４の側壁部と、を有しており、
前記使用状態において、前記一対の第２の側壁ユニットは、それぞれ前記連接板と前記第３の側壁部とが略直交し、前記第３の側壁部と前記第２の上壁部とが略直交し、前記第２の上壁部と前記第４の側壁部とが略直交するように折り畳まれて前記連接板と合わせて略中空四角柱に折り畳まれ、
前記収納状態に切り替えられる際、前記一対の第２の側壁ユニットは、それぞれ前記連接板と前記第３の側壁部とが同一の平面に展開され、且つ前記第２の側壁ユニットが折り畳まれて成った前記略中空四角柱が有する２対の対角における１対の対角が略１８０°に展開され、他の１対の対角が略０°に折り畳まれて前記第３の側壁部と前記第４の側壁部とが互いに平行するように折り重なるようになっていることを特徴とする請求項２に記載の包装箱。
【請求項５】
前記一対の第２の側壁ユニットは、それぞれ
前記第２の上壁部と前記第４の側壁部との間に介在する第３の繋ぎ部と、
前記第４の側壁部の前記第３の繋ぎ部から離れた端縁から更に延伸する下壁部と、
前記下壁部の前記第４の側壁部から離れた端縁から更に延伸し、前記使用状態において前記第３の繋ぎ部と互いに対角する位置にある第４の繋ぎ部と、
前記第４の繋ぎ部の前記下壁部から離れた端縁から更に延伸する第５の側壁部とを更に有する上、
前記連接板と前記第３の側壁部との間にある第６の折目線と、
前記第３の側壁部と前記第２の上壁部との間にある第７の折目線と、
前記第２の上壁部と前記第３の繋ぎ部との間にある第８の折目線と、
前記第３の繋ぎ部と前記第４の側壁部との間にある第９の折目線と、
前記第４の側壁部と前記下壁部との間にある第１０の折目線と、
前記第８の折目線と前記使用状態において互いに対角する位置にあって、前記下壁部と前記第４の繋ぎ部との間にある第１１の折目線と、
前記第４の繋ぎ部と前記第５の側壁部との間にある第１２の折目線と、
が形成されており、
この構成により、
前記使用状態において、前記一対の第２の側壁ユニットは、それぞれ前記連接板と前記第３の側壁部とが前記第６の折目線を介して略直交し、前記第３の側壁部と前記第２の上壁部とが前記第７の折目線を介して略直交し、前記第３の繋ぎ部と前記第４の側壁部とが前記第９の折目線を介して略直交し、前記第４の側壁部と前記下壁部とが前記第１０の折目線を介して略直交し、前記第４の繋ぎ部と前記第５の側壁部とが前記第１２の折目線を介して略直交するように折り畳まれて前記連接板と合わせて略中空四角柱に折り畳まれ、
前記収納状態に切り替えられる際には、前記一対の第２の側壁ユニットは、前記第２の上壁部と前記第３の繋ぎ部とが前記第８の折目線を介して略直交し、前記第３の繋ぎ部と前記第４の側壁部とが前記第９の折目線を介して略直交することにより、前記第２の上壁部と前記第４の側壁部との成す角度が前記第３の繋ぎ部を介して略０°になるよう折り畳まれ、
前記下壁部と前記第４の繋ぎ部とが前記第１１の折目線を介して略直交し、前記第４の繋ぎ部と前記第５の側壁部とが前記第１２の折目線を介して略直交することにより、前記下壁部と前記第５の側壁部との成す角度が前記第４の繋ぎ部を介して略０°になるよう折り畳まれ、更に、前記第３の側壁部と前記第２の上壁部との成す角度は、前記第７の折目線が展開されることにより略１８０°になり、前記第４の側壁部と前記下壁部との成す角度は、前記第１０の折目線が展開されることにより略１８０°になると共に、前記第３の側壁部と前記第４の側壁部と前記第５の側壁部とが互いに平行するように折り重なるようになっていることを特徴とする請求項４に記載の包装箱。
【請求項６】
前記一対の第２の側壁ユニットには、それぞれ前記一対の第１の側壁ユニットがそれぞれ有する前記第２の側壁部に対応し、前記使用状態において前記第２の側壁部が嵌め込まれることができる組立て切り込みが前記第２の上壁部と前記第３の繋ぎ部と前記第４の側壁部に渡って形成されていることを特徴とする請求項５に記載の包装箱。
【請求項７】
前記一対の第１の側壁ユニットがそれぞれ有する前記第２の側壁部の前記開口に臨む端縁には、第１の切り込みが形成されており、
前記底壁部材が有する前記第1の接続壁部の前記底部から離れた端縁には、前記第１の切り込みに対応して前記使用状態において前記第１の切り込みに嵌め込まれることができる第１の嵌合タブが突起するように形成されていることを特徴とする請求項２〜請求項６のいずれか一項に記載の包装箱。
【請求項８】
前記第１の嵌合タブには、前記第２の側壁部に対応して、前記使用状態において前記第２の側壁部が嵌め込まれることができる第２の切り込みが形成されており、
また、前記底壁部材が有する前記第２の接続壁部の前記底部から離れた端縁には、前記底壁部材の長手方向に沿って更に延伸する蓋部が形成されている上、前記蓋部の前記第２の接続壁部から離れた端縁には前記第１の切り込みに対応して前記使用状態において前記第１の切り込みに嵌め込まれることができる第２の嵌合タブが突起するように形成され、更に、前記第２の嵌合タブには、前記第２の側壁部に対応して、前記使用状態において前記第２の側壁部が嵌め込まれることができる第３の切り込みが形成されていることを特徴とする請求項７に記載の包装箱。
【発明の詳細な説明】
【技術分野】
【０００１】
本発明は包装箱に関し、箱状の使用状態と、板状になる収納状態との間で姿勢変化可能な包装箱に関する。
【背景技術】
【０００２】
一般の紙製の包装箱、例えば特許文献１に記載されている包装箱は、図１及び図２に示されるように、一枚の板紙から箱の形に折り畳まれるものである為、箱の形に折り畳まれる前の前記一枚の板紙は、箱の底部９１または壁部９２に該当する本体部９と、本体部９の底部９１または壁部９２に該当する箇所を連結する連結部９３とを有すると共に、連結部９３が殆ど本体部９の周縁から突起するように形成されているので、箱の形に折り畳まれる前の前記一枚の板紙に展開された状態では外周の輪郭が不規則な形に成らざるを得ず、梱包しにくく、または突起する連結部９３が運送中に損傷または破損されやすいという欠点がある。
【先行技術文献】
【特許文献】
【０００３】
【特許文献１】特開２０１３−２３７４５８号公報
【発明の概要】
【発明が解決しようとする課題】
【０００４】
上記問題点に鑑みて、本発明は、展開された状態においても、梱包しやすく、その展開された状態で運送される時に損傷または破損されにくい包装箱の提供を目的とする。
【課題を解決するための手段】
【０００５】
上記目的を達成すべく、本発明は、側壁部材と、前記側壁部材と共に箱に構成することができる底壁部材と、を有する包装箱であって、前記側壁部材と底壁部材とは、共に所定の収容空間を画成する箱状の使用状態と、共に板状になる収納状態との間で姿勢変化可能に構成されており、前記側壁部材は、それぞれがその長手方向に沿って順番に配置される接続部と、第１の側壁部と、第１の上壁部と、第２の側壁部と、を有するように延伸する一枚の板紙に展開されることができるように形成されている上、前記接続部と前記第１の側壁部とが略直交し、前記第１の側壁部と前記第１の上壁部とが略直交し、且つ前記第１の上壁部と前記第２の側壁部とが略直交するように両端開口で２対の対角を有する略中空四角柱に折り畳まれることができるように構成された一対の第１の側壁ユニットを有しており、前記底壁部材は、その長手方向に沿って順番に配置される第1の接続壁部と、底部と、第２の接続壁部と、を有するように延伸する一枚の板紙に展開されることができるように形成されている上、前記第1の接続壁部と前記底部とが略直交し、且つ前記底部と前記第２の接続壁部とが略直交するように折り畳まれることができるように構成されており、前記使用状態において、前記側壁部材が有する前記一対の第１の側壁ユニットは、それぞれ前記略中空四角柱に折り畳まれる上、それぞれが有する前記第２の側壁部が前記底壁部材の長手方向を挟んで互いに向かい合うように、それぞれ前記接続部で前記底壁部材が有する前記底部に当接し、前記底壁部材は、前記第1の接続壁部と前記第２の接続壁部とで、前記略中空四角柱に折り畳まれた前記一対の第１の側壁ユニットがそれぞれ有する開口を覆うことができるように、前記第1の接続壁部と前記底部とが略直交し、且つ前記底部と前記第２の接続壁部とが略直交するように折り畳まれるようになり、前記使用状態から前記収納状態に切り替えられる際には、前記底壁部材が有する前記第1の接続壁部と、前記底部と、前記第２の接続壁部とが同一の平面に展開され、前記略中空四角柱に折り畳まれた各前記第１の側壁ユニットは、前記略中空四角柱が有する２対の対角における１対の対角が略１８０°に展開され、他の１対の対角が略０°に折り畳まれて前記接続部と前記第２の側壁部とが互いに平行するように折り重なるようになることを特徴とする包装箱を提供する。
【発明の効果】
【０００６】
上記の構成によれば、本発明の包装箱は、略中空四角柱に構成でき、略中空四角柱が有する２対の対角における１対の対角が略１８０°に展開され、他の１対の対角が略０°に折り畳まれることによって、板状の収納状態になれる側壁部材と、一枚の板紙に展開されることができる底壁部材とにより構成されているので、従来の包装箱がその展開状態において有する突起を有せず、展開状態で運送する際に、梱包しやすく、運送中に損傷または破損されにくい。
【図面の簡単な説明】
【０００７】
【図１】特許文献１に記載されている包装箱の展開状態を示す上面図である。
【図２】特許文献１に記載されている包装箱が展開状態から使用状態に切り替えられることを示す斜視図である。
【図３】本発明の第１の実施形態を示す斜視図である。
【図４】上記第１の実施形態における側壁部材が展開された状態を示す斜視図である。
【図５】上記第１の実施形態における側壁部材の使用状態を示す部分断面図である。
【図６】上記第１の実施形態における側壁部材が使用状態から収納状態に切り替えられることを示す部分断面図である。
【図７】上記第１の実施形態における側壁部材の収納状態を示す部分断面図である。
【図８】上記第１の実施形態の収納状態を示す斜視図である。
【図９】上記第１の実施形態の２つの折目線の距離と板紙の厚さとの関係を示す部分断面図である。
【図１０】上記第１の実施形態の使用例を示す斜視図である。
【図１１】上記第１の実施形態における底壁部材が収納状態から使用状態に切り替えられることを示す斜視図である。
【図１２】上記第１の実施形態の箱状の使用状態を示す斜視図である。
【図１３】本発明の第２の実施形態の収納状態を示す斜視図である。
【図１４】上記第２の実施形態における第２の側壁ユニットの収納状態を示す部分断面図である。
【図１５】上記第２の実施形態における側壁部材が使用状態から収納状態に切り替えられることを示す斜視図である。
【図１６】上記第２の実施形態における第２の側壁ユニットの使用状態を示す部分断面図である。
【図１７】上記第２の実施形態の使用例を示す斜視図である。
【図１８】上記第２の実施形態における底壁部材が収納状態から使用状態に切り替えられることを示す斜視図である。
【図１９】上記第２の実施形態の箱状の使用状態を示す斜視図である。
【発明を実施するための形態】
【０００８】
本発明は、側壁部材と、側壁部材と共に箱に構成することができる底壁部材と、を有する上、側壁部材と底壁部材とは、共に所定の収容空間を画成する箱状の使用状態と、共に板状になる収納状態との間で姿勢変化可能に構成されている包装箱である。
【０００９】
前記側壁部材は、それぞれが少なくともその長手方向に沿って順番に配置される接続部と、第１の側壁部と、上壁部と、第２の側壁部と、を有するように延伸する一枚の板紙に展開されることができるように形成されている上、前記接続部と前記第１の側壁部とが略直交し、前記第１の側壁部と前記上壁部とが略直交し、且つ前記上壁部と前記第２の側壁部とが略直交するように両端開口で２対の対角を有する略中空四角柱に折り畳まれることができるように構成された一対の第１の側壁ユニットを有している。
【００１０】
前記底壁部材は、少なくともその長手方向に沿って順番に配置される第１の接続壁部と、底部と、第２の接続壁部と、を有するように延伸する一枚の板紙に展開されることができるように形成されている上、前記第1の接続壁部と前記底部とが略直交し、且つ前記底部と前記第２の接続壁部とが略直交するように折り畳まれることができるように構成されている。
【００１１】
前記使用状態において、前記側壁部材が有する前記一対の第１の側壁ユニットは、それぞれ前記略中空四角柱に折り畳まれる上、それぞれが有する前記第２の側壁部が前記底壁部材の長手方向を挟んで互いに向かい合うように、それぞれ前記接続部で前記底壁部材が有する前記底部に当接し、前記底壁部材は、前記第1の接続壁部と前記第２の接続壁部とで、前記略中空四角柱に折り畳まれた前記一対の第１の側壁ユニットがそれぞれ有する開口を覆うことができるように、前記第1の接続壁部と前記底部とが略直交し、且つ前記底部と前記第２の接続壁部とが略直交するように折り畳まれるようになる。
【００１２】
前記使用状態から前記収納状態に切り替えられる際には、前記底壁部材が有する前記第1の接続壁部と、前記底部と、前記第２の接続壁部とが同一の平面に展開され、前記略中空四角柱に折り畳まれた各前記第１の側壁ユニットは、前記略中空四角柱が有する２対の対角における１対の対角が略１８０°に展開され、他の１対の対角が略０°に折り畳まれて前記接続部と前記第２の側壁部とが互いに平行するように折り重なるようになる。
【００１３】
以下は添付の図面を参照しながら、本発明の各好ましい実施形態について説明する。
【００１４】
（第１の実施形態）
本発明の第１の実施形態は、図３及び図４に示されるように、側壁部材２及び底壁部材１により構成されている。側壁部材２は、一対の第１の側壁ユニット２１と連接板２２とを有している。
【００１５】
一対の第１の側壁ユニット２１は、図４に示されるように、それぞれがその長手方向に沿って順番に配置される接続部２１１と、第１の側壁部２１２と、第１の上壁部２１３と、孔が開けられている第２の側壁部２１４と、第１の下壁部２１５と、を有するように延伸する一枚の厚さが均一の板紙に展開されることができるように形成されている上、折り畳まれた場合には、図５に示されるように、接続部２１１と第１の側壁部２１２とが略直交し、第１の側壁部２１２と第１の上壁部２１３とが略直交し、第１の上壁部２１３と第２の側壁部２１４とが略直交し、且つ第２の側壁部２１４と第１の下壁部２１５が略直交するように両端開口で２対の対角を有する略中空四角柱に折り畳まれることができるように構成されている。また、第２の側壁部２１４の一側の開口に臨む端縁には、第１の切り込み２１８が形成されている。
【００１６】
連接板２２は、両端それぞれが、一対の第１の側壁ユニット２１それぞれが有する接続部２１１の第１の側壁部２１３に臨む端部の反対側にある端部と連続するように形成されている。
【００１７】
図５に示されるように、一対の第１の側壁ユニット２１はそれぞれ、接続部２１１と、第１の側壁部２１２との間に介在する第１の繋ぎ部２１６と、第１の上壁部２１３と、第２の側壁部２１４との間に介在し、第１の繋ぎ部２１６と上記使用状態において互いに対角する位置にある第２の繋ぎ部２１７と、を更に有する上、接続部２１１と第１の繋ぎ部２１６との間にある第１の折目線２１１１と、第１の繋ぎ部２１６と第１の側壁部２１２との間にある第２の折目線２１１２と、第１の側壁部２１２と第１の上壁部２１３との間にある第３の折目線２１１３と、第１の上壁部２１３と第２の繋ぎ部２１７との間にある第４の折目線２１１４と、第２の繋ぎ部２１７と第２の側壁部２１４との間にある第５の折目線２１１５と、第３の折目線２１１３と互いに対角する位置あって、第２の側壁部２１４と第１の下壁部２１５との間にある第６’の折目線２１１６と、が形成されている。
【００１８】
上記折目線は、従来の形成方法により形成され、例えば押圧、切込みなどの方法で形成できる。また、図９に示されるように、２つの折目線の距離Ｄは、少なくとも板紙の厚さＴの２倍である。
【００１９】
底壁部材１は、図８に示されるように、その長手方向に沿って順番に配置される第１の嵌合タブ１４と、第1の接続壁部１１と、底部１２と、第２の接続壁部１３と、蓋部１５と、第３の接続壁部１６と、第２の嵌合タブ１７と、を有するように延伸する一枚の略四角形の板紙に展開されることができるように形成されている上、折り畳まれた場合には、第1の接続壁部１１と底部１２とが略直交し、底部１２と第２の接続壁部１３とが略直交し、且つ第２の接続壁部１３と蓋部１５とが略直交し、蓋部１５と第３の接続壁部１６とが略直交し、第３の接続壁部１６が第1の接続壁部１１と当接するように略中空柱状に折り畳まれることができるように構成されている。
【００２０】
図３及び図１１に示されるように、第１の嵌合タブ１４は、底壁部材１が有する第1の接続壁部１１の底部１２から離れた端縁から突起するように形成されている。また、第１の嵌合タブ１４には、２つの第１の側壁部２１２の間の距離及び第１の切り込み２１８に対応して、前記使用状態において第１の切り込み２１８に嵌め込まれることができる第２の切り込み１４１が形成されている。
【００２１】
第２の嵌合タブ１７は、第３の接続壁部１６の蓋部１５から離れた端縁から突起するように形成されている。また、第２の嵌合タブ１７には、２つの第１の側壁部２１２の間の距離及び第１の切り込み２１８に対応して、前記使用状態において第１の切り込み２１８に嵌め込まれることができる第３の切り込み１７１が形成されている。
【００２２】
前記使用状態において、一対の第１の側壁ユニット２１は、図５に示されるように、それぞれ接続部２１１と第１の繋ぎ部２１６とが第１の折目線２１１１を介して略直交し、第１の側壁部２１２と第１の上壁部２１３とが第３の折目線２１１３とを介して略直交し、第１の上壁部２１３と第２の繋ぎ部２１７とが第４の折目線２１１４とを介して略直交し、第２の側壁部２１４と第１の下壁部２１５とが第６’の折目線２１１６とを介して略直交するように前記略中空四角柱に折り畳まれる。また、折り畳まれた状態においては、一対の第１の側壁ユニット２１それぞれが有する第２の側壁部２１４が底壁部材１の長手方向を挟んで互いに向かい合うように、接続部２１１及び連接板２２で底壁部材１が有する底部１２に当接する。
【００２３】
底壁部材１は、図１１及び図１２に示されるように、第1の接続壁部１１と第２の接続壁部１３と第３の接続壁部１６とで、前記略中空四角柱に折り畳まれた一対の第１の側壁ユニット２１がそれぞれ有する開口を覆い、且つ蓋部１５で一対の第１の側壁ユニット２１それぞれの第１の上壁部２１３により画成する開口を覆うことができるように、第２の接続壁部１３と蓋部１５とが略直交し、蓋部１５と第３の接続壁部１６とが略直交し、第1の接続壁部１１と底部１２とが略直交し、且つ底部１２と第２の接続壁部１３とが略直交するように折り畳まれている。そして、第１の嵌合タブ１４の第２の切り込み１４１と第２の嵌合タブ１７の第３の切り込み１７１とは、第２の側壁部２１４に形成されている第１の切り込み２１８に嵌め入れることにより、底壁部材１と側壁部材２とが共に箱を構成する。
【００２４】
前記使用状態から前記収納状態に切り替えられる際には、図７及び図８に示されるように、底壁部材１が有する第１の嵌合タブ１４と、第1の接続壁部１１と、底部１２と、第２の接続壁部１３と、蓋部１５、第３の接続壁部１６と、第２の嵌合タブ１７と、が同一の平面に展開される。
【００２５】
一対の第１の側壁ユニット２１は、図６及び図７に示されるように、それぞれ接続部２１１と第１の繋ぎ部２１６とが第１の折目線２１１１を介して略直交し、且つ第１の繋ぎ部２１６と第１の側壁部２１２とが第２の折目線２１１２を介して略直交することにより、接続部２１１と第１の側壁部２１２との成す角度が第１の繋ぎ部２１６を介して略０°（即ち折り返しになった状態）になるよう折り畳まれ、第１の上壁部２１３と第２の繋ぎ部２１７とが第４の折目線２１１４を介して略直交し、且つ第２の繋ぎ部２１７と第２の側壁部２１４とが第５の折目線２１１５を介して略直交することにより、第１の上壁部２１３と第２の側壁部２１４との成す角度が第２の繋ぎ部２１７を介して略０°になるよう折り畳まれ、更に、第１の側壁部２１２と第１の上壁部２１３との成す角度は、第３の折目線２１１３が展開されることにより略１８０°（即ち直線に近い状態）になり、第２の側壁部２１４と第１の下壁部２１５との成す角度は、第６’の折目線２１１６が展開されることにより略１８０°になると共に、接続部２１１と第１の側壁部２１２と第２の側壁部２１４とが互いに平行するように折り重なるようになっている。
【００２６】
上記の構成によれば、本発明の包装箱は、底壁部材１を展開すると共に第１の側壁ユニット２１を折り畳むことによって、板状の収納状態（図８）になれるので、従来の包装箱がその展開された時に有する突起を有せず、運送する際に、梱包しやすく、運送中に損傷または破損されにくい。
【００２７】
また、図１０に示されるように、この実施形態で瓶を包装する場合は、瓶の両端を２つの第２の側壁部２１４に開けられている孔に嵌め込むことにより、瓶を箱の中央に固定できるので、瓶は外部からの衝撃を直接に受けず、運送中に損傷または破損されにくいというメリットがある。
【００２８】
（第２の実施形態）
本発明の第２の実施形態は、図１３及び図１５に示されるように、側壁部材２及び底壁部材１により構成されている。側壁部材２は、一対の第１の側壁ユニット２１と連接板２２と一対の第２の側壁ユニット２３とを有している。
【００２９】
一対の第１の側壁ユニット２１は、第１の実施形態における第１の側壁ユニット２１と類似する構成を有するので、ここでは詳しい説明を省略し、その相違点のみを説明する。この第２の実施形態における一対の第１の側壁ユニット２１は、図１５に示されるように、第２の側壁部２１４の両側の開口に臨む端縁には、第４の切り込み２１９が形成され、また、第２の側壁部２１４に開けられている孔と第１の下壁部２１５と第６’の折目線２１１６とを有せず、それ以外、第１の実施形態における第１の側壁ユニット２１と同じ構成を有している。
【００３０】
図１６に示されるように、一対の第２の側壁ユニット２３は、それぞれ連接板２２における一対の第１の側壁ユニット２１それぞれの接続部２１１と接せず且つ互いに平行する２つの端縁から、一対の第１の側壁ユニット２１の長手方向と直交する幅方向に沿って順番に配置される第３の側壁部２３１と、第２の上壁部２３２と、第４の側壁部２３３と、第２の下壁部２３４と、第５の側壁部２３５と、を有するように延伸する一枚の厚さが均一の板紙に展開されることができるように形成されている上、連接板２２と第３の側壁部２３１とが略直交し、第３の側壁部２３１と第２の上壁部２３２とが略直交し、第２の上壁部２３２と第４の側壁部２３３とが略直交し、且つ第４の側壁部２３３と第２の下壁部２３４とが略直交するように両端開口で２対の対角を有する略中空四角柱に折り畳まれることができるように構成されている。
【００３１】
また、図１４及び図１６に示されるように、一対の第２の側壁ユニット２３は、それぞれ第２の上壁部２３２と前記第４の側壁部２３３との間に介在する第３の繋ぎ部２３６と、第２の下壁部２３４の第４の側壁部２３３から離れた端縁から更に延伸し、第３の繋ぎ部２３６と上記使用状態において互いに対角する位置にある第４の繋ぎ部２３７と、を更に有する上、連接板２２と第３の側壁部２３１との間にある第６の折目線２３１１と、第３の側壁部２３１と第２の上壁部２３２との間にある第７の折目線２３１２と、第２の上壁部２３２と第３の繋ぎ部２３６との間にある第８の折目線２３１３と、第３の繋ぎ部２３６と第４の側壁部２３３との間にある第９の折目線２３１４と、第７の折目線２３１２と上記使用状態において互いに対角する位置にあって、第４の側壁部２３３と第２の下壁部２３４との間にある第１０の折目線２３１５と、第８の折目線２３１３と上記使用状態において互いに対角する位置にあって、第２の下壁部２３４と第４の繋ぎ部２３７との間にある第１１の折目線２３１６と、第４の繋ぎ部２３７と第５の側壁部２３５との間にある第１２の折目線２３１７と、が形成されている
【００３２】
更に、一対の第２の側壁ユニット２３には、それぞれ一対の第１の側壁ユニット２１がそれぞれ有する第２の側壁部２１４に対応し、前記使用状態において第２の側壁部２１４の第４の切り込み２１９に嵌め込まれることができる組立て切り込み２３８が第２の上壁部２３２と第３の繋ぎ部２３６と第４の側壁部２３３に渡って形成されている。
【００３３】
底壁部材１は、上記第１の実施形態の底壁部材１と同じ構造を有するので、ここでは詳しい説明を省略する。
【００３４】
前記使用状態において、図１８に示されるように、一対の第１の側壁ユニット２１は、それぞれ接続部２１１と第１の繋ぎ部２１６とが第１の折目線２１１１を介して略直交し、第１の側壁部２１２と第１の上壁部２１３とが第３の折目線２１１３とを介して略直交し、第１の上壁部２１２と第２の繋ぎ部２１７とが第４の折目線２１１４とを介して略直交するように前記略中空四角柱に折り畳まれる。また、折り畳まれた状態においては、一対の第１の側壁ユニット２１それぞれが有する第２の側壁部２１４が底壁部材１の長手方向を挟んで互いに向かい合うように、接続部２１１及び連接板２２で底壁部材１が有する底部１２に当接する。
【００３５】
一対の第２の側壁ユニット２３は、図１６に示されるように、それぞれ連接板２２と第３の側壁部２３１とが第６の折目線２３１１を介して略直交し、第３の側壁部２３１と第２の上壁部２３２とが第７の折目線２３１２を介して略直交し、第３の繋ぎ部２３６と第４の側壁部２３３とが第９の折目線２３１４を介して略直交し、第４の側壁部２３３と下壁部２３４とが第１０の折目線２３１５を介して略直交し、第４の繋ぎ部２３７と第５の側壁部２３５とが第１２の折目線２３１７を介して略直交するように折り畳まれて連接板２２と合わせて略中空四角柱に折り畳まれることができる。
【００３６】
そして、図１７に示されるように、一対の第１の側壁ユニット２１の第２の側壁部２１４が、一対の第２の側壁ユニット２３の組立て切り込み２３８に嵌め込まれて、第２の上壁部２３２が第４の切り込み２１９に嵌め込まれていることにより、一対の第２の側壁ユニット２３は第３の側壁部２３１が第２の側壁部２１４の開口に臨む端縁と略同一の平面になるように、一対の第１の側壁ユニット２１に嵌め込まれている。
【００３７】
底壁部材１は、図１８及び図１９に示されるように、第1の接続壁部１１と第２の接続壁部１３と第３の接続壁部１６とで、前記略中空四角柱に折り畳まれた一対の第１の側壁ユニット２１がそれぞれ有する開口及び一対の第２の側壁ユニット２３の第３の側壁部２３１を覆い、且つ蓋部１５で一対の第１の側壁ユニット２１それぞれの第１の上壁部２１３により画成する開口を覆うことができるように第２の接続壁部１３と蓋部１５とが略直交し、蓋部１５と第３の接続壁部１６とが略直交し、第1の接続壁部１１と底部１２とが略直交し、且つ底部１２と第２の接続壁部１３とが略直交するように折り畳まれている。そして、第１の嵌合タブ１４の第２の切り込み１４１と第２の嵌合タブ１７の第３の切り込み１７１とは、第２の側壁部２１４に形成されている第１の切り込み２１８に嵌め入れることにより、底壁部材１と側壁部材２とが共に箱を構成する。
【００３８】
前記使用状態から前記収納状態に切り替えられる際には、図１３及び図１５に示されるように、底壁部材１が有する第１の嵌合タブ１４と、第1の接続壁部１１と、底部１２と、第２の接続壁部１３と、蓋部１５、第３の接続壁部１６と、第２の嵌合タブ１７と、が同一の平面に展開される。
【００３９】
一対の第１の側壁ユニット２１は、図１３に示されるように、それぞれ接続部２１１と第１の繋ぎ部２１６とが第１の折目線２１１１を介して略直交し、且つ第１の繋ぎ部２１６と第１の側壁部２１２とが第２の折目線２１１２を介して略直交することにより、接続部２１１と第１の側壁部２１２との成す角度が第１の繋ぎ部２１６を介して略０°になるよう折り畳まれ、第１の上壁部２１３と第２の繋ぎ部２１７とが第４の折目線２１１４を介して略直交し、且つ第２の繋ぎ部２１７と第２の側壁部２１４とが第５の折目線２１１５を介して略直交することにより、第１の上壁部２１３と第２の側壁部２１４との成す角度が第２の繋ぎ部２１７を介して略０°になるよう折り畳まれ、更に、第１の側壁部２１２と第１の上壁部２１３との成す角度は、第３の折目線２１１３が展開されることにより略１８０°になると共に、接続部２１１と第１の側壁部２１２と第２の側壁部２１４とが互いに平行するように折り重なるようになっている。
【００４０】
一対の第２の側壁ユニット２３は、図１４に示されるように、第２の上壁部２３２と第３の繋ぎ部２３６とが第８の折目線２３１３を介して略直交し、且つ第３の繋ぎ部２３６と第４の側壁部２３３とが第９の折目線２３１４を介して略直交することにより、第２の上壁部２３２と第４の側壁部２３３との成す角度が第３の繋ぎ部２３６を介して略０°になるよう折り畳まれ、第２の下壁部２３４と第４の繋ぎ部２３７とが第１１の折目線２３１６を介して略直交し、第４の繋ぎ部２３７と第５の側壁部２３５とが第１２の折目線２３１７を介して略直交することにより、第２の下壁部２３４と第５の側壁部２３５との成す角度が第４の繋ぎ部２３７を介して略０°になるよう折り畳まれ、更に、第３の側壁部２３１と第２の上壁部２３２との成す角度は、第７の折目線２３１２が展開されることにより略１８０°になり、第４の側壁部２３３と第２の下壁部２３４との成す角度は、第１０の折目線２３１５が展開されることにより略１８０°になると共に、第３の側壁部２３１と第４の側壁部２３３と第５の側壁部２３５とが互いに平行するように折り重なるようになっている。
【００４１】
この第２の実施形態の構成によれば、上記第１の実施形態と同様に、箱が展開されて運送される途中に損傷または破損されにくいというメリットを有する以外、図１５に示されるように、一対の第１の側壁ユニット２１及び一対の第２の側壁ユニット２３がそれぞれ略中空四角柱に折り畳まれているので、外部からの衝撃を吸収でき、商品は外部からの衝撃を直接に受けず、運送中に損傷または破損されにくいというメリットがある。
【産業上の利用可能性】
【００４２】
本発明の包装箱は、箱自体及び収容する荷物が運送される途中に損傷または破損されにくいので、贈り物の包装箱として好適である。
【符号の説明】
【００４３】
１  底壁部材
２  側壁部材
２１  第１の側壁ユニット
２２  連接板
２１１  接続部
２１２  第１の側壁部
２１３  第１の上壁部
２１４  第２の側壁部
２１５  第１の下壁部
２１６  第１の繋ぎ部
２１７  第２の繋ぎ部
２１８  第１の切り込み
２１９  第４の切り込み
２１１１  第１の折目線
２１１２  第２の折目線
２１１３  第３の折目線
２１１４  第４の折目線
２１１５  第５の折目線
２１１６  第６’の折目線
Ｄ  ２つの折目線の距離
Ｔ  板紙の厚さ
１１  第1の接続壁部
１２  底部
１３  第２の接続壁部
１４  第１の嵌合タブ
１４１  第２の切り込み
１５  蓋部
１６  第３の接続壁部
１７  第２の嵌合タブ
１７１  第３の切り込み
２３  第２の側壁ユニット
２３１  第３の側壁部
２３２  第２の上壁部
２３３  第４の側壁部
２３４  第２の下壁部
２３５  第５の側壁部
２３６  第３の繋ぎ部
２３７  第４の繋ぎ部
２３８  組立て切り込み
２３１１  第６の折目線
２３１２  第７の折目線
２３１３  第８の折目線
２３１４  第９の折目線
２３１５  第１０の折目線
２３１６  第１１の折目線
２３１７  第１２の折目線
【図１】
2016113212.tif 000003
【図２】
2016113212.tif 000004
【図３】
2016113212.tif 000005
【図４】
2016113212.tif 000006
【図５】
2016113212.tif 000007
【図６】
2016113212.tif 000008
【図７】
2016113212.tif 000009
【図８】
2016113212.tif 000010
【図９】
2016113212.tif 000011
【図１０】
2016113212.tif 000012
【図１１】
2016113212.tif 000013
【図１２】
2016113212.tif 000014
【図１３】
2016113212.tif 000015
【図１４】
2016113212.tif 000016
【図１５】
2016113212.tif 000017
【図１６】
2016113212.tif 000018
【図１７】
2016113212.tif 000019
【図１８】
2016113212.tif 000020
【図１９】
2016113212.tif 000021